(57)【要約】【課題】簡易な操作で、情報処理装置を構成する複数の構成機器のうちユーザーが所望する構成機器に関する情報をユーザーに提示することを可能とする。【解決手段】情報処理装置は、記憶部と、通信部と、通信制御部とを備える。また、情報処理装置には、情報処理装置の構成機器ごとに対応する位置に配置された複数のタグであって、本タグに対応する構成機器を示す種別情報がそれぞれ埋め込まれた複数のタグが配置されている。記憶部は、構成機器に関する情報を示す複数の構成機器情報を記憶する。通信制御部は、携帯端末から送信されるデータを通信部に受信させるとともに、当該受信させたデータに含まれる種別情報に示される構成機器の構成機器情報を携帯端末へ送信させる。【選択図】図２
2016051907.tif 000002
【特許請求の範囲】
【請求項１】
本情報処理装置が備える機能を実現するための複数の構成機器を収容する筐体と、
前記構成機器ごとに対応する前記筐体における位置のそれぞれに配置された複数のタグであって、本タグに対応する構成機器を示す種別情報がそれぞれ埋め込まれた複数のタグと、
前記構成機器に関する情報を示す複数の構成機器情報を記憶する記憶部と、
携帯端末との間でデータの送受信を行う通信部と、
前記携帯端末から送信されるデータを前記通信部に受信させるとともに、当該受信させたデータに含まれる前記種別情報に示される構成機器の構成機器情報を前記携帯端末へ前記通信部に送信させる通信制御部と、を備える情報処理装置。
【請求項２】
前記タグは、前記種別情報に加えて、本情報処理装置をネットワーク上において識別するためのアドレス情報が埋め込まれている、請求項１に記載の情報処理装置。
【請求項３】
前記記憶部は、前記構成機器に対してユーザーがすべき操作を示すマニュアル情報を含む情報を、前記構成機器情報として記憶する、請求項１または請求項２に記載の情報処理装置。
【請求項４】
前記構成機器の現在の動作状態を示すステータス情報を対応する構成機器から取得するステータス情報取得部を更に備え、
前記記憶部は、前記ステータス情報取得部が取得した前記ステータス情報を含む情報を、前記構成機器情報として記憶する、請求項１乃至請求項３のいずれか１項に記載の情報処理装置。
【請求項５】
表示部と、
情報処理装置の筐体の複数位置に配置されたタグを読み取り、当該タグに対応する前記情報処理装置の構成機器を示す種別情報を取得するタグリーダーと、
前記情報処理装置との間でデータの送受信を行う通信部と、
前記タグリーダーが取得した前記種別情報を含むデータを前記情報処理装置へ前記通信部に送信させるとともに、当該データに応じて前記情報処理装置から送信される前記構成機器に関する情報を示す構成機器情報を前記通信部に受信させる通信制御部と、
前記通信制御部が前記通信部に受信させた前記構成機器情報を前記表示部に表示させる表示制御部と、を備える携帯端末。
【請求項６】
前記タグリーダーは、前記タグから、前記種別情報に加えて、前記情報処理装置をネットワーク上において識別するためのアドレス情報を読み取る、請求項６に記載の携帯端末。
【請求項７】
前記通信制御部は、前記タグリーダーが読み取った前記種別情報を、前記タグリーダーが読み取った前記アドレス情報によりネットワーク上において識別される前記情報処理装置へ前記通信部に送信させる、請求項７に記載の携帯端末。
【請求項８】
情報処理装置と、当該情報処理装置との間でデータの送受信を行う携帯端末とを備え、
前記情報処理装置は、
本情報処理装置が備える機能を実現するための複数の構成機器を収容する筐体と、
前記構成機器ごとに対応する前記筐体における位置のそれぞれに配置された複数のタグであって、本タグに対応する構成機器を示す種別情報がそれぞれ埋め込まれた複数のタグと、
前記構成機器に関する情報を示す複数の構成機器情報を記憶する記憶部と、
第１通信部と、
前記携帯端末から送信されるデータを前記第１通信部に受信させるとともに、当該受信させたデータに含まれる前記種別情報に示される構成機器の構成機器情報を前記携帯端末へ前記第１通信部に送信させる通信制御部と、を有し、
前記携帯端末は、
表示部と、
前記情報処理装置の筐体の複数位置に配置されたタグを読み取り、当該タグに対応する前記種別情報を取得するタグリーダーと、
第２通信部と、
前記タグリーダーが取得した前記種別情報を含むデータを前記情報処理装置へ前記第２通信部に送信させるとともに、当該データに応じて前記情報処理装置から送信される前記構成機器情報を前記第２通信部に受信させる通信制御部と、
前記通信制御部が前記第２通信部に受信させた前記構成機器情報を前記表示部に表示させる表示制御部と、を有する情報処理システム。
【発明の詳細な説明】
【技術分野】
【０００１】
本発明は情報処理装置、携帯端末、および情報処理システムに関し、特に、情報処理装置に関する情報をユーザーに提示する技術に関する。
【背景技術】
【０００２】
近年、画像形成装置等の情報処理装置は、複雑化しており、ユーザーがすべき操作を示すマニュアル情報等の情報処理装置に関する情報の情報量が膨大となっている。ユーザーがこのような膨大な情報量の情報のなかから所望の情報を得るには手間や時間がかかり煩わしい。そこで、ユーザーが所望する情報を適切に提示することが重要となる。
【０００３】
情報処理装置に関する情報のなかからユーザーが所望する情報を提示する技術として、特許文献１に開示される技術が知られている。特許文献１に開示される技術では、画像形成装置に当該画像形成装置の装置ＩＤを示すバーコードが貼着されている。また、この画像形成装置は、自機器の状態を示す状態情報（ステータス情報）をサーバーに送信している。そして、携帯端末がバーコードに示された装置ＩＤを読み取り当該装置ＩＤをサーバーに送信すると、サーバーは、サーバーに記憶された複数の画像形成装置の状態情報のうち受信した装置ＩＤに対応する状態情報を特定し、当該特定した状態情報に対応した手順表示情報（マニュアル情報）を携帯端末に送信する。携帯端末は、サーバーから送信された手順表示情報を表示する。これにより、ユーザーは、画像形成装置に貼着されたバーコードを携帯端末に読み取らせるという簡易な操作で、現在の画像形成装置の状態においてユーザーがすべき操作手順を知ることができる。
【先行技術文献】
【特許文献】
【０００４】
【特許文献１】特開２００８−２８２２１７号公報
【発明の概要】
【発明が解決しようとする課題】
【０００５】
画像形成装置等の情報処理装置は、様々な機能を実現するための複数の構成機器から構成されている。例えば、画像形成装置は、スキャナー機能を実現するための画像読取装置や、給紙機能を実現するための給紙装置等を備えている。しかしながら、上記の特許文献１に開示される技術では、情報処理装置の現在の状態に応じた情報処理装置に関する情報をユーザーに提示することができるものの、情報処理装置を構成する複数の構成機器のうちユーザーが所望する構成機器に関する情報をユーザーに提示することができない。また、簡易な操作で上記の情報がユーザーに提示されることが好ましい。
【０００６】
本発明は、上記の事情に鑑みなされたものであり、簡易な操作で、情報処理装置を構成する複数の構成機器のうちユーザーが所望する構成機器に関する情報をユーザーに提示することを可能とすることを目的とする。
【課題を解決するための手段】
【０００７】
本発明の一局面にかかる情報処理装置は、本情報処理装置が備える機能を実現するための複数の構成機器を収容する筐体と、前記構成機器ごとに対応する前記筐体における位置のそれぞれに配置された複数のタグであって、本タグに対応する構成機器を示す種別情報がそれぞれ埋め込まれた複数のタグと、前記構成機器に関する情報を示す複数の構成機器情報を記憶する記憶部と、携帯端末との間でデータの送受信を行う通信部と、前記携帯端末から送信されるデータを前記通信部に受信させるとともに、当該受信させたデータに含まれる前記種別情報に示される構成機器の構成機器情報を前記携帯端末へ前記通信部に送信させる通信制御部と、を備える情報処理装置である。
【０００８】
また、本発明の他の一局面にかかる携帯端末は、表示部と、情報処理装置の筐体の複数位置に配置されたタグを読み取り、当該タグに対応する前記情報処理装置の構成機器を示す種別情報を取得するタグリーダーと、前記情報処理装置との間でデータの送受信を行う通信部と、前記タグリーダーが取得した前記種別情報を含むデータを前記情報処理装置へ前記通信部に送信させるとともに、当該データに応じて前記情報処理装置から送信される前記構成機器に関する情報を示す構成機器情報を前記通信部に受信させる通信制御部と、前記通信制御部が前記通信部に受信させた前記構成機器情報を前記表示部に表示させる表示制御部と、を備える携帯端末である。
【０００９】
また、本発明の他の一局面にかかる情報処理システムは、上記の情報処理装置と、上記の携帯端末とを備える。
【発明の効果】
【００１０】
上記の本発明によれば、簡易な操作で、情報処理装置を構成する複数の構成機器のうちユーザーが所望する構成機器に関する情報をユーザーに提示することができる。
【図面の簡単な説明】
【００１１】
【図１】本発明の一実施形態にかかる情報処理装置の一例としての画像形成装置および携帯端末の外観を示す斜視図である。
【図２】本発明の一実施形態にかかる画像形成装置および携帯端末の内部構成を示すブロック図である。
【図３】（Ａ）〜（Ｄ）は、各ＮＦＣタグのメモリーに記憶されるデータの内容の一例を示す図である。
【図４】記憶部に記憶されるデータの内容の一例を示す図である。
【図５】携帯端末をＮＦＣタグにかざす操作を示す図である。
【図６】本発明の一実施形態にかかる画像形成装置および携帯端末の動作の流れを示すフローチャートである。
【図７】表示部に表示される表示画面の一例を示す図である。
【発明を実施するための形態】
【００１２】
以下、本発明の一実施形態にかかる情報処理装置、携帯端末、および情報処理システムについて図面を参照して説明する。図１は、本発明の一実施形態にかかる情報処理装置の一例としての画像形成装置および携帯端末の外観を示す斜視図である。図２は、本発明の一実施形態にかかる画像形成装置および携帯端末の内部構成を示すブロック図である。
【００１３】
本発明の一実施形態にかかる情報処理システムは、画像形成装置１と、画像形成装置１と通信可能な携帯端末２００とを備えている。まず、画像形成装置１の構成について説明する。
【００１４】
画像形成装置１は、ファクシミリ通信機能、コピー機能、プリンター機能、およびスキャナー機能等の複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１５】
画像形成装置１の外郭を構成する筐体７には、画像形成装置１の様々な機能を実現するための複数の構成機器が収容されている。例えば、筐体７には、スキャナー機能を実現するための画像読取部１０や、給紙機能を実現するための給紙部３０や、トナー補給機能を実現するためのトナー補給部４０等が収容されている。
【００１６】
画像読取部１０は、原稿搬送部６と、原稿搬送部６により搬送されてくる原稿又は不図示のコンタクトガラスに載置された原稿を光学的に読み取るスキャナーとを有するＡＤＦ（Auto Document Feeder）である。画像読取部１０は、ファクシミリ送信対象の原稿を１枚ずつ読み取ることで、画像形成対象となる画像データを取得する。
【００１７】
画像メモリー２０は、画像読取部１０によって読み取られた画像データを一時的に記憶する領域である。
【００１８】
画像形成部５０は、画像メモリー２０に記憶されている画像データを読み出し、当該データを用いて給紙部３０から供給される用紙に画像を形成（印刷）する。印刷済みの用紙は、排出トレイ４に排出される。
【００１９】
給紙部３０は、第１給紙部３１および第２給紙部３２を備える。第１給紙部３１および第２給紙部３２は、それぞれ、給紙カセット（不図示）を備え、当該給紙カセットに収容された用紙を画像形成部５０に向けて搬送する。
【００２０】
トナー補給部４０は、シアン、マゼンタ、イエロー、ブラックの各色のトナーを収容する複数のトナーコンテナ（不図示）を備え、当該トナーコンテナに収容されたトナーを画像形成部５０に供給する。
【００２１】
表示部６０は、画像形成装置１の前面側に配置され、液晶ディスプレイ（ＬＣＤ：Liquid Crystal Display）や有機ＥＬ（ＯＬＥＤ：Organic Light-Emitting Diode）ディスプレイを含んで構成される。表示部６０には、例えば、画像形成装置１において設定可能な設定項目を表示するメニュー画面等が表示される。
【００２２】
操作部７０は、例えば、印刷ジョブの実行を指示するためのスタートキー、メニュー画面を構成するＧＵＩに対して確定操作を行う決定キー（エンターキー）、数値入力を行うための数値入力キー等を備え、表示部６０に表示される画面に対する操作をユーザーから受け付ける。
【００２３】
通信部８０は、不図示のＬＡＮチップ等の通信モジュールを備える通信インターフェイスである。画像形成装置１は、ネットワークを介してスマートフォンやタブレット端末等の携帯端末２００と接続されている。通信部８０は、後述する通信制御部１０２等による制御のもと、接続された携帯端末２００との間でデータの送受信を行う。
【００２４】
記憶部９０は、ＨＤＤ（Hard Disk Drive）等の大容量の記憶装置である。記憶部９０には、画像読取部１０によって読み取られた画像データが記憶される。また、記憶部９０には、画像読取部１０、給紙部３０、およびトナー補給部４０等の筐体７に収容された構成機器に関する情報（構成機器情報）が記憶される。記憶部９０に記憶されるデータの詳細な内容については後述する。
【００２５】
また、画像形成装置１は、筐体７の予め定められた複数位置にＮＦＣ（Near Field Communication）タグ５−Ａ、５−Ｂ、５−Ｃ、５−Ｄが配置されている。ＮＦＣタグ５−Ａ、５−Ｂ、５−Ｃ、５−Ｄ（タグ）は、それぞれ、後述する携帯端末２００のＮＦＣリーダー２２０（タグリーダー）へ送信するデータを記憶するメモリー（不図示）と、ＮＦＣリーダー２２０との間でデータの送受信を行うアンテナコイル（不図示）とを備える。携帯端末２００がＮＦＣタグ５−Ａ、５−Ｂ、５−Ｃ、５−Ｄに近接すると、携帯端末２００に内蔵されたＮＦＣコイルの電磁誘導によりＮＦＣリーダー２２０のアンテナコイルに電力が供給される。ＮＦＣタグ５−Ａ、５−Ｂ、５−Ｃ、５−Ｄは、当該供給された電力を用いて、ＮＦＣリーダー２２０へのデータの送信を行う。
【００２６】
ＮＦＣタグ５−Ａ、５−Ｂ、５−Ｃ、５−Ｄは、それぞれ、筐体７に収容された画像読取部１０、給紙部３０、およびトナー補給部４０等の各構成機器に対応する位置に配置されている。具体的には、ＮＦＣタグ５−Ａは、画像読取部１０に対応する位置である画像読取部１０が収容された位置付近に配置されている。また、ＮＦＣタグ５−Ｂは、第１給紙部３１に対応する位置である第１給紙部３１が収容された位置付近に配置されている。また、ＮＦＣタグ５−Ｃは、第２給紙部３２に対応する位置である第２給紙部３２が収容された位置付近に配置されている。また、ＮＦＣタグ５−Ｄは、トナー補給部４０に対応する位置であるトナー補給部４０が収容された位置付近に配置されている。
【００２７】
図３（Ａ）〜図３（Ｄ）は、ＮＦＣタグ５−Ａ、５−Ｂ、５−Ｃ、５−Ｄのメモリーに記憶されるデータの内容の一例を示す図である。本図に示すように、ＮＦＣタグ５−Ａ、５−Ｂ、５−Ｃ、５−Ｄのメモリーには、それぞれ、ＮＦＣタグ毎に固有のＮＦＣタグ番号と、画像形成装置１のＭＡＣアドレス（アドレス情報）とが記憶されている。ＮＦＣタグ番号は、ＮＦＣタグに対応する構成機器を示す種別情報としての役割を果たす。
【００２８】
例えば、ＮＦＣタグ番号「１」は、ＮＦＣタグ５−Ａが画像読取部１０の構成機器に対応していることを示す。また、ＮＦＣタグ番号「２」は、ＮＦＣタグ５−Ｂが第１給紙部３１の構成機器に対応していることを示す。また、ＮＦＣタグ番号「３」は、ＮＦＣタグ５−Ｃが第２給紙部３２の構成機器に対応していることを示す。また、ＮＦＣタグ番号「４」は、ＮＦＣタグ５−Ｄがトナー補給部４０の構成機器に対応していることを示す。なお上記では、ＮＦＣタグ５−Ａ、５−Ｂ、５−Ｃ、５−Ｄのメモリーに画像形成装置１のＭＡＣアドレスが記憶される場合を説明したが、ＮＦＣタグ５−Ａ、５−Ｂ、５−Ｃ、５−Ｄのメモリーに記憶される情報は、ＭＡＣアドレスに限られず、画像形成装置１をネットワーク上において識別することができる情報であればよい。
【００２９】
このように、ＮＦＣタグ５−Ａ、５−Ｂ、５−Ｃ、５−Ｄは、その配置位置、および、メモリーに記憶されるデータの内容を除いて同じ構成であるため、以下の説明では、ＮＦＣタグごとに区別する場合において符号「５」の末尾に「−Ａ」や「−Ｂ」等を付けて表記し、ＮＦＣタグごとに区別しない場合において符号「５」の末尾に「−Ａ」や「−Ｂ」等を付けずに「ＮＦＣタグ５」と表記する。
【００３０】
画像形成装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部９０に記憶された情報処理プログラム等の制御プログラムが上記のＣＰＵに実行されることにより、制御部１０１、通信制御部１０２、ステータス情報取得部１０３、表示制御部１０４、および受付部１０５として機能する。なお、制御ユニット１００の上記の各構成は、前述の制御プログラムに基づく動作によらず、それぞれハード回路により構成されてもよい。
【００３１】
制御部１０１は、画像形成装置１の全体的な動作制御を司る。制御部１０１は、画像読取部１０、画像メモリー２０、給紙部３０、トナー補給部４０、画像形成部５０、表示部６０、操作部７０、通信部８０、および記憶部９０等と接続されており、接続されている上記各機構の動作制御や、各機構との間での信号又はデータの送受信を行う。
【００３２】
通信制御部１０２は、通信部８０によるデータの通信動作を制御する機能を有する。
【００３３】
ステータス情報取得部１０３は、給紙部３０やトナー補給部４０等の筐体７に収容された構成機器の現在の動作状態を示すステータス情報を取得する。例えば、ステータス情報取得部１０３は、第１給紙部３１および第２給紙部３２の給紙トレイに設けられた用紙残量検知センサーから出力される信号を取得することで、第１給紙部３１および第２給紙部３２の給紙トレイに収容された用紙の残量をステータス情報として取得する。また、ステータス情報取得部１０３は、トナー補給部４０の各色のトナーコンテナに設けられたトナー残量検知センサーから出力される信号を取得することで、各色のトナーコンテナに収容されたトナーの残量をステータス情報として取得する。ステータス情報取得部１０３は、取得したステータス情報を記憶部９０に記憶させる。
【００３４】
図４は、記憶部９０に記憶されるデータの内容の一例を示す図である。記憶部９０には、画像読取部１０、給紙部３０、およびトナー補給部４０等の筐体７に収容された構成機器に関する情報として、構成機器に対してユーザーがすべき操作を示すマニュアル情報、および、構成機器の現在の動作状態を示すステータス情報が記憶されている。また、これらの情報は、各構成機器に対応する位置に配置された各ＮＦＣタグ５に関連付けて記憶部９０に記憶されている。
【００３５】
例えば、記憶部９０には、第１給紙部３１に対応する位置に設けられたＮＦＣタグ５−ＢのＮＦＣタグ番号「２」に関連付けて、第１給紙部３１の給紙トレイに用紙を給紙する方法等を示すマニュアル情報である「ｘｘｘ２．ｊｐｇ」、および、第１給紙部３１の給紙トレイに収容された用紙の残量を示すステータス情報である「ｘｘｘ２．ｔｘｔ」が記憶されている。
【００３６】
また、記憶部９０には、画像読取部１０に対応する位置に設けられたＮＦＣタグ５−ＡのＮＦＣタグ番号「１」に関連付けて、画像読取部１０を用いた原稿のスキャン方法を示すマニュアル情報である「ｘｘｘ１．ｊｐｇ」が記憶されている。なお画像読取部１０は、給紙部３０やトナー補給部４０のように用紙やトナーといった消耗品がないため、ＮＦＣタグ番号「１」に関連付けてステータス情報が記憶されていない。
【００３７】
ここで、通信制御部１０２は、携帯端末２００から送信されるデータを通信部８０に受信させる。そして、通信制御部１０２は、当該受信させたデータに筐体７に収容された構成機器に関する情報を送信すべき旨の送信要求指示が含まれている場合に、送信要求指示に示される種別情報としてのＮＦＣタグ番号に示される構成機器に関する情報を携帯端末２００へ通信部８０に送信させる。例えば、通信部８０がＮＦＣタグ番号「４」が示された送信要求指示を受信した場合、通信制御部１０２は、ＮＦＣタグ番号「４」に関連付けられている「ｘｘｘ４．ｊｐｇ」のマニュアル情報、および、「ｘｘｘ４．ｔｘｔ」のステータス情報を携帯端末２００へ通信部８０に送信させる。
【００３８】
表示制御部１０４は、表示部６０による画像の表示動作を制御する機能を有する。
【００３９】
受付部１０５は、操作部７０等を用いて入力されたユーザー操作に基づく指示を受け付ける機能を有する。
【００４０】
続いて、携帯端末２００の構成について説明する。携帯端末２００は、通信部２１０、ＮＦＣリーダー２２０、表示部２３０、操作部２４０、および制御ユニット２５０を備える。
【００４１】
通信部２１０は、不図示のＬＡＮチップ等の通信モジュールを備える通信インターフェイスである。通信部２１０は、後述する通信制御部２５２等による制御のもと、画像形成装置１との間でデータの送受信を行う。
【００４２】
ＮＦＣリーダー２２０は、ＮＦＣタグ５との間でデータの送受信を行うＮＦＣコイル（不図示）を備え、後述するＮＦＣ制御部２５３等による制御のもと、ＮＦＣタグ５のメモリーに記憶されたデータを受信する。
【００４３】
表示部２３０は、液晶ディスプレイや有機ＥＬディスプレイを含んで構成される。表示部２３０は、後述する表示制御部２５４等による制御のもと、通信部２１０が受信した画像読取部１０、給紙部３０、およびトナー補給部４０等の筐体７に収容された構成機器に関する情報が表示される。
【００４４】
操作部２４０は、表示部２３０の前面に配置されるタッチパネルであって、表示部２３０に表示される画面に対する操作をユーザーから受け付ける。
【００４５】
制御ユニット２５０は、ＣＰＵ(Central Processing Unit)、ＲＡＭ（Random Access Memory）、及びＲＯＭ（Read Only Memory）等から構成される。制御ユニット２５０は、上記のＲＯＭ等に記憶された情報処理プログラム等の制御プログラムが上記のＣＰＵに実行されることにより、制御部２５１、通信制御部２５２、ＮＦＣ制御部２５３、表示制御部２５４、および受付部２５５として機能する。なお、制御ユニット２５０の上記の各構成は、前述の制御プログラムに基づく動作によらず、それぞれハード回路により構成されてもよい。
【００４６】
制御部２５１は、携帯端末２００の全体的な動作制御を司る。制御部２５１は、通信部２１０、ＮＦＣリーダー２２０、表示部２３０、および操作部２４０等と接続されており、接続されている上記各機構の動作制御や、各機構との間での信号又はデータの送受信を行う。
【００４７】
ＮＦＣ制御部２５３は、ＮＦＣリーダー２２０によるＮＦＣ通信動作を制御する機能を有する。図５に示すように、ユーザーが携帯端末２００をＮＦＣタグ５にかざした場合、携帯端末２００に設けられたＮＦＣリーダー２２０とＮＦＣタグ５とが近接した状態になる。この状態において、ＮＦＣタグ５に電力が供給され、ＮＦＣタグ５は、ＮＦＣタグ５が起動したことを通知する通知信号を送信する。ＮＦＣリーダー２２０が当該通知信号を受信すると、ＮＦＣ制御部２５３は、データの送信を要求する送信要求信号をＮＦＣタグ５へＮＦＣリーダー２２０に送信させる。ＮＦＣタグ５は、当該送信要求信号を受け、メモリーに記憶されているＮＦＣタグ毎に固有のＮＦＣタグ番号と、画像形成装置１のＭＡＣアドレスとをＮＦＣリーダー２２０へ送信する。ＮＦＣ制御部２５３は、送信されたＮＦＣタグ番号およびＭＡＣアドレスをＮＦＣリーダー２２０に受信させる。
【００４８】
通信制御部２５２は、通信部２１０によるデータの通信動作を制御する機能を有する。具体的には、通信制御部２５２は、通信部２１０に、ＮＦＣリーダー２２０が受信したＭＡＣアドレスにより識別される画像形成装置１との間でデータの通信を行わせる。この際通信制御部２５２は、通信部２１０に、ＮＦＣリーダー２２０が受信した情報に含まれるＮＦＣタグ番号を含む送信要求指示を画像形成装置１へ送信させる。また、通信制御部２５２は、送信要求指示に応じて画像形成装置１から送信される画像形成装置１を構成する構成機器に関する情報を通信部２１０に受信させる。
【００４９】
表示制御部２５４は、表示部２３０による画像の表示動作を制御する機能を有する。特に、表示制御部２５４は、通信制御部２５２が通信部２１０に受信させた構成機器に関する情報を表示部２３０に表示させる。
【００５０】
受付部２５５は、操作部２４０等を用いて入力されたユーザー操作に基づく指示を受け付ける機能を有する。
【００５１】
次に、上記の構成を備える画像形成装置１および携帯端末２００の具体的な動作の流れについて説明する。図６は、画像形成装置１および携帯端末２００の動作の流れを示すフローチャートである。
【００５２】
ユーザーが携帯端末２００をＮＦＣタグ５にかざし、ＮＦＣタグ５に電力が供給されると（ステップＳ１０においてＹＥＳ）、ＮＦＣタグ５は、ＮＦＣタグ５が起動したことを通知する通知信号を携帯端末２００へ送信する（ステップＳ１１）。
【００５３】
携帯端末２００のＮＦＣリーダー２２０が通知信号を受信すると（ステップＳ２０）、ＮＦＣ制御部２５３は、ＮＦＣリーダー２２０に、送信要求信号をＮＦＣタグ５へ送信させる（ステップＳ２１）。
【００５４】
ＮＦＣタグ５は、送信要求信号を受信すると（ステップＳ１２）、ＮＦＣタグ５のメモリーに記憶されているＮＦＣタグ番号およびＭＡＣアドレスを携帯端末２００へ送信する（ステップＳ１３）。
【００５５】
ＮＦＣリーダー２２０がＮＦＣタグ番号およびＭＡＣアドレスを受信すると（ステップＳ２２）、通信制御部２５２は、受信したＭＡＣアドレスを用いて通信対象の画像形成装置１をネットワーク上において識別する（ステップＳ２３）。
【００５６】
そして、通信制御部２５２は、通信部２１０に、ステップＳ２２の処理で受信したＮＦＣタグ番号を示す送信要求指示を含むデータを識別した画像形成装置１へ送信させる（ステップＳ２４）。
【００５７】
画像形成装置１の通信部８０がデータを受信すると（ステップＳ１４）、通信制御部１０２は、当該受信したデータに含まれるＮＦＣタグ番号を用いて、ＮＦＣタグ５−Ａ、５−Ｂ、５−Ｃ、５−Ｄの中から１のＮＦＣタグ５を識別する。そして、通信制御部１０２は、記憶部９０に記憶されているマニュアル情報およびステータス情報を含む複数の構成機器に関する情報のうち、当該識別したＮＦＣタグ５に関連付けられた構成機器に関する情報を、送信対象の情報として特定する（ステップＳ１５）。
【００５８】
ステップＳ１５の処理後、ステータス情報取得部１０３は、記憶部９０に記憶されているステータス情報を最新の状態のデータに更新する（ステップＳ１６）。
【００５９】
通信制御部１０２は、通信部８０に、ステップＳ１５の処理で送信対象の情報として特定された構成機器に関する情報を携帯端末２００へ送信させる（ステップＳ１７）。すなわち、ステップＳ１５およびステップＳ１７の処理では、通信制御部１０２は、携帯端末２００から送信されるデータに含まれる種別情報（ＮＦＣタグ番号）に示される構成機器に関する情報を携帯端末２００へ送信させる。
【００６０】
携帯端末２００の通信部２１０がマニュアル情報およびステータス情報を含む構成機器に関する情報を受信すると（ステップＳ２５）、表示制御部２５４は、当該受信した構成機器に関する情報を表示部２３０に表示させる（ステップＳ２６）。
【００６１】
図７は、表示部２３０に表示される表示画面の一例を示す図である。図７には、ユーザーが携帯端末２００をＮＦＣタグ５−Ｄにかざした場合における表示画面を示すものであり、表示部２３０には、マニュアル情報としてのトナーの交換方法を示す画像Ｄ２と、ステータス情報としてのトナーの残量を示す画像Ｄ３を含む表示画面Ｄ１が表示されている。
【００６２】
以上のように本発明では、画像読取部１０、給紙部３０、およびトナー補給部４０等の筐体７に収容された構成機器ごとに対応する予め定められた位置に複数のＮＦＣタグ５が配置されている。ユーザーは、情報を知りたい構成機器に対応した位置に配置されたＮＦＣタグ５に携帯端末２００をかざすことで、知りたい情報を取得することができる。すなわち、本発明では、簡易な操作で、画像形成装置１を構成する複数の構成機器のうちユーザーが所望する構成機器に関する情報をユーザーに提示することができる。
【００６３】
なお、本発明は、上記の実施の形態の構成に限られず種々の変形が可能である。
【００６４】
例えば、上記の実施の形態では、画像形成装置１に設けられたＮＦＣタグ５に埋め込まれた情報を携帯端末２００のＮＦＣリーダー２２０を用いて読み取る場合について説明したが、本発明は必ずしもこの場合に限定されない。例えば、ＲＦＩＤ（Radio Frequency IDentifier）タグ等のその他の電子タグ、および、当該電子タグを読み取ることができる電子リーダーを用いてもよい。
【００６５】
また、上記の実施の形態では、ＮＦＣタグ５に種別情報としてＮＦＣタグ番号が埋め込まれている場合を説明したが、本発明は必ずしもこの場合に限定されない。ＮＦＣタグ番号といった番号ではなく、第１給紙部やトナー補給部といった構成機器を直接示す文字データが埋め込まれているとしてもよい。
【００６６】
また、上記の実施の形態では図６に示すステップＳ１７の処理で、画像形成装置１の通信制御部１０２が、通信部８０に、記憶部９０に記憶されているマニュアル情報およびステータス情報を携帯端末２００へ送信させる場合を説明したが、本発明は必ずしもこの場合に限定されない。ステップＳ１５の処理で送信対象の情報として特定された構成機器に関するマニュアル情報またはステータス情報が記憶部９０に記憶されていない場合や、当該情報が記憶部９０に記憶されているもののその情報量が予め定められた情報量に満たない場合には、通信制御部１０２が、通信部８０に、外部に設けられたサーバーから当該情報を取得させてもよい。この場合、通信制御部１０２は、通信部８０に、外部に設けられたサーバーから取得したマニュアル情報等の情報を携帯端末２００へ送信させる。
【００６７】
また、図６に示すステップＳ１７の処理で、画像形成装置１からマニュアル情報等の情報が送信されない場合や、当該情報が送信されるもののその情報量が予め定められた情報量に満たない場合には、携帯端末２００の通信制御部２５２が通信部２１０に外部に設けられたサーバーから当該情報を取得させてもよい。この場合、ステップＳ２６の処理では、表示制御部２５４が、外部に設けられたサーバーから取得したマニュアル情報等の情報を表示部２３０に表示させる。
【００６８】
これにより、ステップＳ１５の処理で送信対象の情報として特定された構成機器に関するマニュアル情報またはステータス情報が記憶部９０に記憶されていない場合や、当該情報が記憶部９０に記憶されているもののその情報量が予め定められた情報量に満たない場合であっても、マニュアル情報等の情報を携帯端末２００の表示部２３０に表示することができる。
【００６９】
また、上記の実施の形態で説明した制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該制御プログラムを記録したコンピューター読み取り可能な非一時的な記録媒体が、本発明の一実施形態となる。
【符号の説明】
【００７０】
１     画像形成装置
５     ＮＦＣタグ
７     筐体
１０   画像読取部
３０   給紙部
３１   第１給紙部
３２   第２給紙部
４０   トナー補給部
５０   画像形成部
８０   通信部
９０   記憶部
１００ 制御ユニット
１０１ 制御部
１０２ 通信制御部
１０３ ステータス情報取得部
１０４ 表示制御部
２００ 携帯端末
２１０ 通信部
２２０ ＮＦＣリーダー
２３０ 表示部
２５０ 制御ユニット
２５１ 制御部
２５２ 通信制御部
２５３ ＮＦＣ制御部
２５４ 表示制御部
【図１】
2016051907.tif 000003
【図２】
2016051907.tif 000004
【図３】
2016051907.tif 000005
【図４】
2016051907.tif 000006
【図５】
2016051907.tif 000007
【図６】
2016051907.tif 000008
【図７】
2016051907.tif 000009